(57)【要約】【課題】  打楽器毎に設けることなく、打楽器への打撃を確実に検出でき、種々の打楽器に汎用性を持たせ、製造メーカ及びユーザーのいずれにとっても安価に得ること。【解決手段】  スタンド１１と、スタンド１１に支持される打撃出力検出体３０とを備える。スタンド１１は、下パイプと上パイプ１４とからなる支柱部を備えると共に支柱部を床に対して起立させるための着座部を備える。支柱部の上端には、中間部材２４を介して保持部２１が設けられ、保持部２１は内部に打撃検出体３０の支持体を挿通できる筒体２２と、筒体２２の上部に上下方向に回動可能でかつ周方向に沿って複数設けられると共に、打楽器としてのドラムＤ及び打撃出力検出体３０を保持する上アーム２６とを備える。【選択図】  図４
0003102585.tif 000002
【実用新案登録請求の範囲】
【請求項１】
スタンドに支持される打楽器の打撃出力を捕捉する打楽器の打撃出力検出体であって、
前記スタンドに対し着脱自在でかつ上下方向に調節自在でかつ着脱自在に取り付けられる支持体と、該支持体の先端に装着され、前記打楽器の打撃出力を捕捉する検出器とを備えたことを特徴とする打楽器の打撃出力検出体。
【請求項２】
請求項１記載の打楽器の打撃出力検出体において、
前記支持体は、これを構成すると共に外周に雄ネジが設けられた雄ネジ棒と、前記スタンドに対して前記雄ネジ棒を上下方向に移動可能に取り付ける複数の締結部材としての調節機構とからなることを特徴とする打楽器の打撃出力検出体。
【請求項３】
請求項１又は２記載の打楽器の打撃出力検出体において、
前記検出器は、上端部を打楽器の叩打部に当接される弾性体と、
この弾性体の下端部に設けられたセンサと、前記弾性体を前記叩打部に付勢させる付勢部材とを備えることを特徴とする打楽器の打撃出力検出体。
【請求項４】
請求項３記載の打楽器の打撃出力検出体において、
前記弾性体と前記センサと前記付勢部材とは、ケーシングに一体に配設されていることを特徴とする打楽器の打撃出力検出体。
【請求項５】
請求項１〜４のいずれか記載の打楽器の打撃出力検出体において、
前記検出器は、その検出信号を再生させる音源モジュールと接続されることを特徴とする打楽器の打撃出力検出器。
【請求項６】
請求項１から５のいずれか記載の打楽器の打撃出力検出体と、この打撃出力検出体及び打楽器を支持するスタンドとを備えてなることを特徴とする打楽器の打撃出力検出装置。
【請求項７】
請求項６記載の打楽器の打撃出力検出装置において、
前記スタンドは、支柱部と、この支柱部を床へ起立させる着座部と、前記支柱部の先端に設けられて、打楽器及び前記打撃出力検出体を保持する保持体とを備えることを特徴とする打楽器の打撃出力検出装置。
【請求項８】
請求項７記載の打楽器の打撃出力検出装置において、
前記支柱部が、上下方向に伸縮自在とされていることを特徴とする打楽器の打撃出力検出装置。
【請求項９】
請求項７又は８記載の打楽器の打撃出力検出装置において、
前記保持体は、支柱部の先端に固定され、前記雄ネジ棒を挿通して保持する筒体と、打楽器を保持する上アームとを備えることを特徴とする打楽器の打撃出力検出装置。
【請求項１０】
請求項９記載の打楽器の打撃出力検出装置において、
前記上アームは、前記筒体の上部に、側方へ放射状に延びて、上下方向に設けられた複数からなることを特徴とする打楽器の打撃出力検出装置。
【請求項１１】
請求項１０記載の打楽器の打撃出力検出装置において、
前記保持体は、前記筒体を挿通し、かつ周囲に前記各上アームと連結された下アームを有する調整部と、前記筒体の下部の外周に昇降自在に取り付けられた規定部材とを備えることを特徴とする打楽器の打撃出力検出装置。
【請求項１２】
請求項９〜１１のいずれか記載の打楽器の打撃出力検出装置において、
前記上アームは、その長さ方向で一端側と他端側とが相対的に捻れて形成されていることを特徴とする打楽器の打撃出力検出装置。
【請求項１３】
請求項１１記載の打楽器の打撃出力検出装置において、
前記規定部材は、その内周に、前記筒体の下部の外周に設けられた雄ネジと螺合する雌ネジが設けられた筒状をなしていることを特徴とする打楽器の打撃出力検出装置。
【請求項１４】
請求項１０〜１３のいずれか記載の打楽器の打撃出力検出装置において、
前記筒体は、内部に挿通する前記雄ネジ棒を固定するロックネジを備えることを特徴とする打楽器の打撃出力検出装置。
【考案の詳細な説明】
【技術分野】
【０００１】
この考案は、打楽器の打撃出力検出体及び打撃力出力検出装置に係り、特に、打楽器の練習時、打楽器にセットされて打楽器の打撃出力を捕捉するのに好適な技術に関する。
【背景技術】
【０００２】
従来、ドラムなどの打楽器に打撃出力用の検出体を設けたものが、打撃出力検出装置として用いられることが提案されている（例えば、特許文献１参照。）。
この打撃出力検出装置は、叩打部としての打撃面が網状素材により構成されるヘッドと、このヘッドの中心位置に接触して、ヘッドへの打撃力を電気信号として検出するヘッド・センサ及びリムへの打撃力を検出するリム・ショットセンサが設けられて構成されている。また、ヘッドの網状素材は、縦横の繊維を組み合わせた形成された網を複数枚重ね合わせ、重ね合わせた隣り合う網の繊維が互いに９０度より小さい角度で交じるようになっている。
【０００３】
この打撃出力検出装置は、ヘッドをスティックで打撃した場合、ヘッド・センサがその打撃力を検出し、またリムをスティックで打撃した場合には、リム・ショットセンサがその打撃力を検出するようになっている。
そして、ヘッドを打撃した際には、ヘッドを構成する網状素材の弾性のために、アコースティック・ドラムのヘッドを打撃した際の、打撃感に近似した、極めて良好な打撃感を得ることができるようになっている。
しかも、ヘッドは、これを構成する網状素材の全面にわたって張力が均一化されているため、打撃位置の違いによる打感のばらつきが少なく、ヘッド・センサからの出力波形も処理しやすいもとなり、従って、打撃感に優れ、かつ打撃音の極めて小さい電子打楽器装置における打撃検出装置を実現できるようになっている。
【特許文献１】特開平１０−２０８５４号公報（第３−４頁、図１−図７）
【考案の開示】
【考案が解決しようとする課題】
【０００４】
ところで、上記従来技術においては、ヘッドへの打撃を電気信号として検出するヘッド・センサ及びリムへの打撃を検出するリム・ショットセンサが設けられて構成されているので、これらヘッド・センサ及びリム・ショットセンサとがヘッド毎にそれぞれ設けられる、つまり、打楽器毎に上記センサが設けられるという問題があった。
また、ヘッド毎に上記の各センサが設けられるため、製造メーカにとっては製造コストが高くつく一方、ユーザーにとっては高価な装置を購入せざるを得ないという問題があった。
【０００５】
この考案は、このような事情を考慮してなされたもので、打楽器毎に設けることなく、打楽器への打撃を確実に検出することができると共に、種々の打楽器に対して汎用性を持たせることができ、しかも製造メーカ及びユーザーのいずれにとっても安価に得ることができる打楽器の打撃出力検出体及び打撃出力検出装置を提供することを目的とする。
【課題を解決するための手段】
【０００６】
上記目的を達成するために、この考案は以下の手段を提案している。
請求項１に係る考案は、スタンドに支持される打楽器の打撃出力を捕捉する打楽器の打撃出力検出体であって、前記スタンドに対し着脱自在でかつ上下方向に調節自在でかつ着脱自在に取り付けられる支持体と、該支持体の先端に装着され、前記打楽器の打撃出力を捕捉する検出器とを備えたことを特徴とする。
これにより、スタンドに取り付けられる検出器が、打楽器が打撃されたときに発生する打撃出力を捕捉することで、打撃感及び打撃音を確認することができる。
請求項２に係る考案は、請求項１記載の打楽器の打撃出力検出体において、前記支持体は、これを構成すると共に外周に雄ネジが設けられた雄ネジ棒と、前記スタンドに対して前記雄ネジ棒を上下方向に移動可能に取り付ける複数の締結部材としての調節機構とからなることを特徴とする。
これにより、締結部材からなる調整調整によって雄ネジ棒の雄ネジをスタンドに対し、上下方向に移動可能に取り付けることができるので、スタンドにおいて検出器を上下方向の位置で確実に調節することができる。
請求項３に係る考案は、請求項１又は２記載の打楽器の打撃出力検出体において、前記検出器は、上端部を打楽器の叩打部に当接される弾性体と、この弾性体の下端部に設けられたセンサと、前記弾性体を前記叩打部に付勢させる付勢部材とを備えることを特徴とする。
これにより、弾性体を打楽器の叩打部に当接させることで、叩打部から発生する打撃出力を検出器が確実に捕捉することができ、打撃出力検出器として良好に機能する。
請求項４に係る考案は、請求項３記載の打楽器の打撃出力検出体において、前記弾性体と前記センサと前記付勢部材とは、ケーシングに一体に配設されていることを特徴とする。
これにより、弾性体とセンサと付勢部材とが、ケーシングに一体に配設されているので、ケーシングを支持体に取り付けるだけで検出器を支持体に簡単に装着することができる。  
請求項５に係る考案は、請求項１〜４のいずれか記載の打楽器の打撃出力検出体において、前記検出器は、その検出信号を再生させる音源モジュールと接続されることを特徴とする。
これにより、検出器が、その検出信号を再生させる音源モジュールに接続して使用された場合、その打撃出力を再生できるので、打撃感及び打撃音を確認することができる。
請求項６に係る考案は、請求項１から５のいずれか記載の打楽器の打撃出力検出体と、この打撃出力検出体及び打楽器を支持するスタンドとを備えてなることを特徴とする。
これにより、打楽器をスタンドにセットしたとき、その打楽器に対して打撃出力検出体をセットすることができるので、打撃出力検出体が打楽器の打撃出力を確実に捕捉することができ、打楽器の練習用として良好に機能させることができる。
請求項７に係る考案は、請求項６記載の打楽器の打撃出力検出装置において、前記スタンドは、支柱部と、この支柱部を床へ起立させる着座部と、前記支柱部の先端に設けられて、打楽器及び前記打撃出力検出体を保持する保持体とを備えることを特徴とする。
これにより、スタンドが着座部によって床に起立されるので、保持体により打楽器及び打撃出力検出体を安定した状態に保持することができる。
請求項８に係る考案は、請求項７記載の打楽器の打撃出力検出装置において、前記支柱部が、上下方向に伸縮自在とされていることを特徴とする。
これにより、支柱部が上下方向に伸縮するので、打撃出力検出体の高さを容易に調整することができる。
請求項９に係る考案は、請求項７又は８記載の打楽器の打撃出力検出装置において、前記保持体は、支柱部の先端に固定され、前記雄ネジ棒を挿通して保持する筒体と、打楽器を保持する上アームとを備えることを特徴とする。
これにより、筒体が支持体の雄ネジ棒を保持すると共に、上アームが打楽器を保持するので、打楽器と打撃出力検出体との双方を保持できる。
請求項１０に係る考案は、請求項９記載の打楽器の打撃出力検出装置において、前記上アームは、前記筒体の上部に、側方へ放射状に延びて、上下方向に設けられた複数からなることを特徴とする。
これにより、上アームが放射状に延びた複数からなるので、これら各アーム間に打楽器を確実に保持することができる。
請求項１１に係る考案は、請求項１０記載の打楽器の打撃出力検出装置において、前記保持体は、前記筒体を挿通し、かつ周囲に前記各上アームと連結された下アームを有する調整部と、前記筒体の下部の外周に昇降自在に取り付けられた規定部材とを備えることを特徴とする。
これにより、筒体において規定部材が昇降したときに、それに伴って調整部が筒体上を昇降移動すると、下アームを介して上アームが上下動して、各上アーム間の幅が変更されることで、打楽器の径に応じた大きさに調整することができ、径の大きさの拘わらず打楽器を確実に保持できる。
請求項１２に係る考案は、請求項９〜１１のいずれか記載の打楽器の打撃出力検出装置において、前記上アームは、その長さ方向で一端側と他端側とが相対的に捻れて形成されていることを特徴とする。
これにより、上アーム上に打楽器を搭載したとき、打楽器の重みで上アームが撓むというそおれがないばかりでなく、打楽器を打撃したときの衝撃で打楽器と検出器が互いにずれるというおそれもない。
請求項１３に係る考案は、請求項１１記載の打楽器の打撃出力検出装置において、前記規定部材は、その内周に、前記筒体の下部の外周に設けられた雄ネジと螺合する雌ネジが設けられた筒状をなしていることを特徴とする。
これにより、筒体上で規定部材を雄ネジに沿って回転させると、規定部材が筒体上で昇降移動することができる。
請求項１４に係る考案は、請求項１０〜１３のいずれか記載の打楽器の打撃出力検出装置において、前記筒体は、内部に挿通している前記雄ネジ棒を固定するロックネジを備えることを特徴とする。
これにより、筒体内に支持体としての雄ネジ棒が挿通されたとき、ロックネジを締め付けることで雄ネジ棒が筒体に固定されるので、締結部材によって雄ネジ棒が筒体に取り付けられているにも拘わらず、万一であっても、雄ネジ棒が筒体から下方にずれたり、落下するのを防ぐことができる。
【考案の効果】
【０００７】
請求項１に係る考案によれば、検出器が、打楽器が打撃されたときに発生する打撃出力を捕捉することで、打撃感及び打撃音を確認できるように構成したので、打楽器の練習などに好適であり、しかも打楽器を変更しても、それに対して検出器をセットすることで使用することができ、検出器を打楽器毎に設けることが不要になり、種々の打楽器に対して汎用性を持たせることができる効果が得られると共に、製造メーカ及びユーザーのいずれにとってもそれだけ安価に得ることができる効果が得られる。
【０００８】
請求項２に係る考案によれば、調整調整が雄ネジ棒の雄ネジに沿って移動移動することで、スタンドに対し支持体を上下方向に移動可能に取り付けることができるので、スタンドにおいて検出器を上下方向の位置で確実に調節することができ、従って、検出器の上下位置を容易に調節できる効果が得られる。
【０００９】
請求項３に係る考案によれば、弾性体を多楽器の叩打部に当接させることで、叩打部から発生する打撃出力を検出器によって確実に捕捉することができ、打撃出力検出器として良好に機能できる効果が得られる。
【００１０】
請求項４に係る考案によれば、弾性体とセンサと付勢部材とが、ケーシングに一体に配設されているので、ケーシングを支持体に取り付けるだけで検出器を支持体に簡単に装着することができ、検出器の装着を簡単に行える効果が得られる。
【００１１】
請求項５に係る考案によれば、検出器が、その検出信号を再生させる音源モジュールに接続して使用された場合、その打撃出力を再生でき、打撃感及び打撃音を確認することができるので、打楽器の練習用として極めて有益となる効果が得られる。
【００１２】
請求項６に係る考案によれば、打楽器をスタンドにセットしたとき、その打楽器に対して打撃検出出力体をセットすることができるように構成したので、打楽器の打撃出力を確実に捕捉することができ、しかも打楽器を変更しても、それに対して検出器をセットすることで使用することができるので、検出器を打楽器毎に設けることが不要になり、従って、製造メーカ及びユーザーのいずれにとってもそれだけ安価に得ることができ、汎用性に富んだ装置を提供できる効果が得られる。
【００１３】
請求項７に係る考案によれば、スタンドが着座部によって床に起立されるので、保持体が打楽器を安定した状態に保持することができる効果が得られる。
【００１４】
請求項８に係る考案によれば、支柱部が上下方向に伸縮するので、支柱部の高さを調節することで打撃出力検出装置の高さを容易に調整できる効果が得られる。
【００１５】
請求項９に係る考案によれば、筒体が支持体の雄ネジ棒を保持すると共に、上アームが打楽器を保持するので、打楽器と打撃出力検出体との双方を保持できるという効果が得られる。
【００１６】
請求項１０に係る考案によれば、
これにより、上アームが放射状に延びた複数からなるので、これら各アーム間に打楽器を確実に保持することができるという効果が得られる。
【００１７】
請求項１１に係る考案によれば、筒体において規定部材が昇降したときに、それに伴って調整部が筒体上を昇降移動すると、下アームを介して上アームが上下動して、各上アーム間の幅が変更されることで、打楽器の径に応じた大きさに調整できるように構成したので、径の大きさの拘わらず打楽器を確実に保持することができる効果が得られる。
【００１８】
請求項１２に係る考案によれば、上アーム上に打楽器を搭載したとき、打楽器の重みで上アームが撓むというそおれがないばかりでなく、打楽器を打撃したときの衝撃で打楽器と検出器が互いにずれるというおそれもないことから、保持体が打楽器と検出器との双方を安定した状態で保持しておくことができる効果が得られる。
【００１９】
請求項１３に係る考案によれば、筒体上で規定部材を雄ネジに沿って回転させると、規定部材が筒体上で昇降移動できるように構成したので、規定部材の昇降移動を簡単な操作で行える効果が得られる。
【００２０】
請求項１４に係る考案によれば、筒体内に支持体としての雄ネジ棒が挿通されたとき、ロックネジを締め付けることで雄ネジ棒が筒体に固定されるので、締結部材によって雄ネジ棒が筒体に取り付けられているにも拘わらず、万一であっても、雄ネジ棒が筒体から下方にずれたりするのを防ぐことができ、打楽器の叩打部に対して検出器がずれるというおそれもない結果、検出器としてセット上の信頼性を高めることができる効果が得られる。
【考案を実施するための最良の形態】
【００２１】
以下、図面を参照し、この考案の実施の形態について説明する。図１から図７はこの考案の一実施の形態に係る打楽器の打撃出力検出装置を示す図である。
図１に示す打楽器の打撃出力検出装置１０は、大別すると、スタンド１１と、このスタンドに１１に支持される打撃出力検出体３０とを備えている。
スタンド１１は、下パイプ１３と上パイプ１４とからなる支柱部１２を備えると共に、支柱部１２を床に対して起立させるための着座部１７を備えている。
【００２２】
支柱部１２は、下パイプ１３と上パイプ１４とで構成されている。下パイプ１３及び上パイプ１４のいずれも長尺状をなすと共に、上パイプ１４が、下パイプ１３の内径より小さな外径をなしている。そして、下パイプ１３内に上パイプ１４を挿入したとき、下パイプ１３の上部に設けられた調整ネジ１５で下パイプ１３を締め付けると、下パイプ１３に対する上パイプ１４の突出量が選定されることで、支柱部１３の軸方向の長さを決定するようになっており、従って、支柱部１３の上下方向に伸縮できるようになっている。
なお、符号１６は下パイプ１３の上部外周に設けられたストッパーであり、これについては後述する。
【００２３】
着座部１７は、下パイプ１３を挿通し得る大きさの環状に形成された調整部１８と、
その調整部１８の外周部に脚部材１９が連結されている。この脚部材１９は、調整部１８に対し上下方向に回動可能に一端が連結されており、しかも調整部１８の外周において１２０度ずつの等間隔で三本設けられている。
また、下パイプ１３の下部外周には支持部材２０が連結されている。支持部材２０は、下パイプ１３の下部において、前記脚部材１９と対応する位置に上下方向に回動可能に一端が連結された三本からなっており、その他端が脚部材１９の長さ方向の途中位置に軸支されている。
【００２４】
そして、下パイプ１３上において調整部１８をスライドさせて昇降させたとき、それに伴って脚部材１９が傾き角度が変えながら移動すると、下パイプ１３に対する脚部材１９の回動角度が変わると共に、その変わった回動角度の状態で脚部材１９の下端が床に着地されることで、いわゆる三脚構造を構成して下パイプ１３を床に着座できるようになっている。
また、調整部１８が下パイプ１３上で上方にスライドしたとき、ストッパー１６と衝突することで、下パイプ１３から抜けることがないようになっている。脚部材１９の他端（下端）には床に対して滑りにくく安定して接地できるようにすると共に、床にキズなどを付けるおそれがないよう、プラスチックやゴム材などからなる滑り止め１９ａが設けられている。
【００２５】
このような支柱部１２の上端には、中間部材２４を介して保持部２１が設けられている。保持部２１は、詳細に図示していないが、内部に後述する打撃検出体３０の支持体３１を挿通できる筒体２２と、筒体２２の上部に、上下方向に回動可能でかつ周方向に沿って複数設けられると共に、打楽器としてのドラムＤを保持する上アーム２６とを備えている。中間部材２４は、図１に示すようにＬ字状をなしており、その短辺側の部分が支柱部１２における上パイプ１４の上端に固定されると共に、その短編側に対し長辺側が上下方向に回動可能に設けられている。この中間部材２４の短編側と長辺側とが、図４に示すナット部材２４ａによって締め付けられることで長辺側が回動不能に固定され、本実施形態においては全て水平方向に位置している。
【００２６】
筒体２２は、文字通りの筒状をなしており、中間部材２４の長辺側の先端に固定されて上下方向に沿うように軸方向が配置されている。この筒体２２の下部外周には雄ネジ２２ａが刻設されている。
また、筒体２２の上部には、ブラケット２５を介して上アーム２６が上下方向に回動可能に連結されている。上アーム２６は、例えばステンレスなどのような細長い金属板で形成されており、その基部が、筒体２２の上部に設けられた環状部２３の周囲にブラケット２５を介して連結されることで、上下方向に回動可能に連結され、その先端部２６ａがやや上方に向くように折り曲げられている。この先端部２６ａにはドラムＤを載せたときにキズ等が付きにくいようにゴムや合成樹脂などのような比較的軟質材が被覆されている。
【００２７】
ブラケット２５は、筒体２２の環状部２３の周囲に１２０度の等間隔で三個設けられている。従って、ブラケット２５によって連結される上アーム２６も三本設けられてあって、その三本の上アーム２６上に、図４に示すように、打楽器としてのドラムＤを搭載して保持できるようになっている。図４に示すドラムＤは、いわゆる練習用のものであって、その上面に叩打部としてのパッド部Ｐが設けられ、その下面が下方に向けて開放されている。図４中の符号Ｓは、ドラムＤを打撃するスティックである。
更に、上アーム２６は、長さ方向に沿い基端部と先端部２６ａが相対的に捻れて形成されており、つまり、図３に示すように長さ方向の途中部分が捻れることにより、ドラムＤの重みで下方に撓むことがないよう適宜の強度が付与されている。
【００２８】
また、保持部２１には、ドラムＤの大きさに応じて保持部２１の各上アーム２６間の副（水平方向における幅）を調整する調整部２７と、調整部２７の位置を規定する規定部材２９とを備えている。
調整部２７は、その上部に筒体２２を挿通し得る大きさの環状をなしており、その周囲及び上アーム２６の途中位置間に介装された下アーム２８を有している。下アーム２８は、細長い板状体をなし、その一端が図１に示すように調整部２７の外周部に等間隔で三本連結されると共に、その他端が上アーム２６の途中位置に連結されている。
【００２９】
そして、調整部２７が筒体２２上で上下方向に移動したとき、それに伴って下アーム２８が上アーム２６を上下方向に回動させることで、つまり、上アーム２６の各々が上方に回動することで各上アーム２６の先端部２６ａ間の幅が次第に狭まる一方、上アーム２６の各々が下方に回動することで、各上アーム２６の先端部２６ａ間の幅が次第に拡がるようになっている。このような上アーム２６は、常態では、筒体２２において水平方向に位置するようになっている。
【００３０】
規定部材２９は、筒体２２の下部外周に設けられた雄ネジ２２ａと螺合できるよう、内部に雌ネジ（図示せず）を設けた環状をなしており、該雌ネジと雄ネジ２２ａとの螺合によって筒体２２上を昇降する。
即ち、筒体２２において規定部材２９を雄ネジ２２ａに沿い回して上方に移動させたとき、それに伴い調整部２７も上昇すると、下アーム２８が図９から図１０に示すように上アーム２６を持ち上げて上アーム２６が次第に上方に回動することで、上アーム２６の各々の先端部２６ａ間の間隔が次第に狭まる一方、規定部材２９を反対方向に回して下方に移動させたとき、それに伴い調整部２７も降下すると、下アーム２８が図１０から図９に示すように上アーム２６の各々の先端部２６ａ間の間隔が次第に拡がるようになっている。
【００３１】
つまり、調整部２７は、筒体２２上を昇降する規定部材２９によって位置が規定されるようになっており、その規定部材の位置に応じて上アーム２６の各々の先端部間の間隔が次第に狭まる一方、下方に移動すると、それに応じて上アーム２６の各々の先端部間の間隔が次第に拡開され、これによって、打楽器の径の大きさに応じて保持部２１の幅を調整できるようになっている。
【００３２】
そして、保持部２１には、打楽器としてのドラムＤを保持する他、ドラムＤの打撃出力を検出する打撃出力検出体３０が上下位置を調節できるように取り付けられている。
打撃出力検出体３０は、図２に示すように、上下位置調節自在な装着機構を備えた支持体３１と、図４に示すドラムＤの打撃出力を捕捉する検出器３５とを備えて構成されている。
【００３３】
支持体３１は、その外周に雄ネジ３２が設けられた、長尺状の雄ネジ棒を構成している。以下は、「支持体３１」若しくは「雄ネジ棒３１」と呼ぶ。
この支持体３１には、その長さ方向の途中位置に間隔を隔てて二個の締結部材３３、３４が装着され、更にその下端に引き掛かりを防ぐために袋ナット３０ａが設けられて丸みをおびている。これら締結部材３３、３４は、いわゆるナット部材からなっており、内部に設けられた雌ネジ（符示せず）が支持体３１の雄ネジ３２と螺合することで、保持部２１に対する支持体３１の高さ方向を自在に調節可能とする調整機構を構成している。この調整機構については、後述する。
【００３４】
検出器３５は、図５に示すように、例えばスポンジなどからなる弾性体３６と、弾性体３６の下端部に設けられたセンサ３７と、弾性体３６をドラムＤの叩打部としてのパッド部Ｐに対して付勢させる付勢部材３８とを備えて構成されている。
弾性体３６は、上端部がドラムＤのパッド部Ｐに当接されるものであって、略円柱状をなしており、その上端部がコ字形をなすケーシング３９の上部に設けられた孔４０内を挿通することで、図６に示すようにケーシング３９から突出している。
【００３５】
センサ３７は、弾性体３６の下部に突設された鍔部３６ａの下端部に接して設けられており、弾性体３６がドラムのパッド部Ｐと当接した状態でパッド部Ｐが叩打されたとき、その打撃力が弾性体３６を介して伝わると、その打撃出力を捕捉するようになっており、例えば、圧電素子などで構成されている。このセンサ３７には、捕捉した信号を出力するための雌型ジャック４１がリード線４２を介して設けられている。
付勢部材３８は、弾性体３６内に設けられてあって、かつ下方がセンサ３７に臨ませて開口する孔３６ｂ内に縮設されたコイルスプリングからなっており、そのバネ力で弾性体３６の上端を上方に付勢させている。
【００３６】
弾性体３６を突出させるケーシング３９の内側には、コ字状のブラケット４３が溶接などによって固定され、そのブラケット４３上にスペーサ４４を介してセンサ３７と付勢部材３８を内蔵した弾性体３６とが配置されている。ブラケット４３の下部には、図５及び図７に示すように、ナット部材４５が取り付けられ、このナット部材４５の内周に設けられた雌ネジ（符示せず）と上記支持体３１の雄ネジ３２とが螺合することにより、図１及び図４に示すように支持体３１の上端に検出器３５が装着され、この状態で使用されるようになっている。また、ブラケット４３には雌型ジャック４１も取り付けられている。
【００３７】
この打撃出力検出体３０は、検出器３５と、調整機構としての一方の締結部材３３とを支持体３１から取り外しておき、その支持体３１の上部を保持部２１内に下方から上方に向けて挿通させたとき、支持体３１に上方から一方の締結部材３３を締め付けて双方の締結部材３４が保持部２１を挟着することで、スタンド１１に装着される。
その際、支持体３１に対して締結部材３３、３４を回してこれら双方の締結位置を変えることで上下方向に調整自在とされ、また、支持体３１の上端に検出器３５が装着されて、該検出器３５の弾性体３６が、保持部２１上に搭載されたドラムＤのパッド部Ｐの底面に当接され、これによって使用されることとなる。
【００３８】
一方、打撃出力検出体３０には、図５に示す雌型ジャック４１と接続される雄型ジャックを有する配線を介し、音源モジュールとしての図８に示すアンプ４７が接続される。アンプ４７は、入力部４８に上記配線を介して打撃出力検出体３０が接続され、また出力部にスピーカ４９が接続されて電源が投入された状態にあるとき、検出器３５によって捕捉された打撃出力を音として再生できるようになっている。
【００３９】
更に、支持体３１が保持部２１の筒体２２に挿通し、かつ調整機構によって保持されたとき、筒体２２に設けられたロックネジ２２ｂを締め付けることで、支持体３１が保持部２１に固定されるようになっている。
ロックネジ２２ｂは、図１に示すように、筒体２２に対しその求心方向に移動可能にねじ込まれており、筒体２２内に雄ネジ棒３１が挿通した状態にあるとき、回転操作されて雄ネジ棒３１に食い込むことで、筒体２２に雄ネジ棒３１を固定するようにしている。
【００４０】
この実施形態の打撃出力検出装置１０は、上記のように構成されているので、次にその取り扱いについて以下に説明する。
使用に際しては、まず、図１に示すように、支柱部１２の下パイプ１３に設けられている着座部１７の開き具合を調節しながら下パイプ１３に固定することで、支柱部１２を床に起立させておき、また、下パイプ１３に対し上パイプ１４を上下方向に移動して調整ネジ１５によって固定することで支柱部１２全体の高さ、つまり、スタンド１１全体の高さを調整しておく。
このとき、支柱部１２の先端に中間部材２４を介して設けられた保持部２１には、未だ打楽器としてのドラムＤが搭載されておらず、また打楽器出力検出体３０も取り付けられていない状態となっている。
【００４１】
このようにしてスタンド１１の高さが調整された後、予め、検出器３５と一方の締結部材３３とを取り外しておいた状態の支持体３１を用意し、この支持体３１の先端側を保持部２１の下方から上方に挿通し、支持体３１の先端側が保持部２１の上方に突き抜けたところで、支持体３１の先端側に、締結部材３３を螺合させ、次いで支持体３１の先端に打楽器出力検出体３０をねじ込んで装着する。
【００４２】
次いで、図９に示すように、保持部２１にドラムＤを載せた後、保持部２１の筒体２２上において、これに設けられた雄ネジ２２ａに沿い調整部２７を回しながら調整部２７を上方に移動させて、保持部２１の各々の上アーム２６を上方に回動させると、上アーム２６の先端部２６ａの各々が図１０に示すようにドラムＤの外周部を押さえ付けることで、保持部２１にドラムＤをセットする。
【００４３】
次いで、そのセット状態のままで、支持体３１上における締結部材３３及び３４の上下方向の位置を調節しながら支持体３１を上方に移動することで、図４及び図１０に示すように、検出器３５の弾性体３６の上端をドラムＤのパッド部Ｐの下面に当接させ、その当接した状態で締結部材３３及び３４の双方を保持部２１の上下端で締め付けることで、保持部２１に支持体３１を固定する。
これにより、保持部２１を有する支柱部１３に対して打楽器出力検出器３０が取り付けられることとなる。
【００４４】
このようにしてドラムＤがセットされると共に、そのセットされたドラムＤに対し打楽器出力検出体３０がセットされた状態にある場合、ドラムＤを叩くと、そのドラムに打撃出力が発生するが、その打撃出力が検出器３５によって捕捉されることとなる。
また、ドラムＤに対する打撃時、センサ３７の雌型ジャック４１と、音源モジュールとしてのアンプ４７とが配線４６を介して接続され、またアンプ４７にスピーカ４９が接続されてあって、電源が投入されてといると、検出器３５によって捕捉された検出信号がアンプ４７によって増幅されてスピーカ４７から再生されることで、打撃感及び打撃音を確認することができる。
【００４５】
従って、この実施形態の打撃出力検出体３０によれば、スタンド１１に対し着脱自在でかつ上下方向に調節自在に取り付けられる支持体３１と、支持体３１の先端に装着されてドラムＤの打撃出力を捕捉する検出器３５とを備えて構成され、検出器３５が、ドラムＤが打撃されたときに発生する打撃出力を捕捉することで、ドラムＤに対する打撃感及び打撃音を確認できるので、ドラムＤの練習などに好適であり、しかもドラムＤを変更しても、それに対して検出器３５をセットすることで使用することができて、検出器３５をドラム毎に設けることが不要になり、種々のドラムＤに対して汎用性を持たせることができ、従って、製造メーカ及びユーザーのいずれにとってもそれだけ安価に得ることができる。
【００４６】
また、支持体３１は、これを構成すると共に外周に雄ネジ３２が設けられた雄ネジ棒３１と締結部材３３、３４からなる調節機構とが備えられ、調整調整によって雄ネジ３２ａをスタンド１１に対し、上下方向に移動可能に取り付けることができるように構成したので、スタンド１１において検出器３５を上下方向の位置で確実に調節することができ、従って、検出器３５の上下位置を容易に調節できる。
【００４７】
更に、検出器３５は、弾性体３６とセンサ３７とコイルスプリングからなる付勢部材３８とを備えて構成したので、弾性体３６をドラムＤのパッド部Ｐに当接させることで、パッド部Ｐから発生する打撃出力を確実に捕捉することができ、打撃出力検出器３０として良好に機能することができる。
【００４８】
しかも、検出器３５を構成する弾性体３６とセンサ３７と付勢部材３８とは、ケーシング３９に一体に配設されているので、ケーシング３９を支持体３１に取り付けるだけで検出器３５を支持体３５に簡単に装着することができる。これにより、対象となるドラムＤが変わっても、検出器３５のセットをいっそう容易に行える。
また、検出器３５は、その検出信号を再生させる音源モジュールとしてのアンプ４７に接続されて使用した場合、その打撃出力をスピーカ４９を通して再生できるので、打撃感及び打撃音を確認することができ、打楽器の練習などに極めて有益である。
【００４９】
そして、この実施形態の打撃出力検出装置１０によれば、上記打撃出力検出体３０と、スタンド１１とを備え、ドラムＤをスタンド１１にセットしたとき、そのドラムＤに対して打撃検出出力体３５をセットすることができるように構成したので、ドラムＤの打撃出力を確実に捕捉することができ、しかもドラムＤを変更しても、それに対して検出器３５をセットすることで使用することができるので、検出器３５をドラム毎に設けることが不要になり、種々のドラムＤに対して汎用性を持たせることができ、従って、製造メーカ及びユーザーのいずれにとってもそれだけ安価に得ることができ、汎用性に富んだ装置を提供できる。
【００５０】
一方、スタンド１１が、支柱部１２と着座部１７と保持体２１とを備え、スタンド１１が着座部１７によって床に起立されるので、保持体２１が打撃出力検出装置１０及びドラムＤを安定した状態に保持することができる。しかも、支柱部１２は、下パイプ１３に対して上パイプ１４が上下方向に相対移動することで、上下方向に伸縮するように構成されているので、支柱部１２の高さを調節することで打撃出力検出装置１０の高さを容易に調整することができる。
【００５１】
スタンド１１の保持体２１は、筒体２２と、筒体２２の上部に上下方向に回動可能に取り付けられた複数の上アーム２６とを備え、これらの上アーム２６上にドラムＤを載せることでドラムＤを確実に保持することができる。
また、保持体２１は、筒体２２において規定部材２９が昇降したとき、それに伴って調整部２７が筒体２２上を昇降移動すると、下アーム２８を介し上アーム２６が上下動し、各上アーム２６間の幅を調整することができるので、ドラムＤを外周部から挟み込んで確実に保持することができる。
【００５２】
このような保持体２１は、図９及び図１０に示すような大きさのドラムＤのみならず、図１１及び図１２に示すような別のドラムＤ１及びＤ２であっても、容易に保持することができる。
即ち、図１１は、図４、図９及び図１０に示すドラムＤに比較して小径のドラムＤ１を使用するときの説明図である。図１１において、保持体２１の上アーム２６上にドラムＤ１を搭載したとき、保持体２１上に規定部材を上昇させ、それに伴って調整部が筒体２２上を上昇させると、上アーム２６の先端部２６ａが次第に上方に回動することで、各上アーム２６間の幅をドラムＤ１の外周に適合させることができるので、保持体２１が小径のドラムＤ１でも確実に保持することができる。
【００５３】
図１２は、ドラムＤ１に比較してそれと略同径で若干深さ（高さ）のあるドラムＤ２を使用するときの説明図である。
図１２においても、保持体２１の上アーム２６上にドラムＤ２を搭載したとき、保持体２１上に規定部材２９を上昇させ、それに伴って調整部２７が筒体２２上を上昇させると、上アーム２６の先端部２６ａが次第に上方に回動し、各上アーム２６間の幅をドラムＤ２の外周に適合させることができるので、上アーム２６がより深さのあるドラムＤ２でも確実に保持することができる。
【００５４】
このように、保持体２１において、規定部材２９の上昇により下アーム２８を介して上アーム２６を回動させることで、各上アーム２６間の幅が変更されることで、打楽器の径に応じた大きさに調整できるように構成したので、ドラム径の大きさの拘わらずドラムを確実に保持することができる。これによって、各種の打楽器に対する汎用性がいっそう高まる。
しかも、上アーム２６は、長さ方向の途中が捻れているので、その上にドラムＤを搭載したとき、一本の薄い金属板で形成されているにも拘わらず、ドラムＤの重みで撓むというおそれがないばかりでなく、ドラムＤを打撃したときの衝撃でドラムＤと検出器３５が互いにずれるというおそれもない。そのため、保持体２１がドラムＤと検出器３５との双方を安定した状態で保持しておくことができる。
【００５５】
更に、筒体２２上で規定部材２９を雄ネジ２２ａに沿って回転させると、規定部材２９が筒体２２上で昇降移動することができ、規定部材２９の昇降移動を簡単な操作で行える。加えて、筒体２２が、内部に挿通している雄ネジ棒３１を固定するロックネジ２２ｂを備えているので、筒体２２内に雄ネジ棒３１が挿通されたとき、ロックネジ２２ｂを締め付けることで雄ネジ棒３１が筒体２２に挿通した状態で確実に固定されるので、締結部材３３、３４によって雄ネジ棒３１が筒体２２に取り付けられているにも拘わらず、万一であっても、雄ネジ棒（支持体）３１が筒体２２から下方にずれたり落下することを防げるので、ドラムＤのパッド部Ｐに対して検出器３５がずれるというおそれもなくなり、検出器３５としてのセット上の信頼性を高めることができる。
【００５６】
なお、上記の実施形態では、保持部２１にドラムＤが未だセットされていないとき、打撃出力検出体３０を保持部２１にセットする手順で説明したが、下面にパッド部Ｐが設けられていない練習用のドラムＤを用いているので、打撃出力検出体３０をセットする前に、予めドラムＤを保持部２１にセットしておいても作業に支障を及ぼすおそれがない。
また、上記実施の形態において、打楽器としてドラムに適用した例を用いたが、それ以外のもの、例えばボンゴなどにも適用することができ、要は、上面のみに叩打部が設けられてあって下面に叩打部が設けられていない打楽器に適用することができる。
【図面の簡単な説明】
【００５７】
【図１】この考案の一実施の形態に係る打楽器の打撃出力検出装置を示す全体図である。
【図２】打楽器の打撃出力検出体を示す説明用斜視図である。
【図３】同じく打撃出力検出体をスタンドに支持した状態を示す平面図である。
【図４】スタンドに打撃出力検出体及びドラムを保持した状態を示す使用時の説明図である。
【図５】打楽器の打撃出力検出体を示す説明用断面図である。
【図６】図５の打撃出力検出体を斜め上方から見た斜視図である。
【図７】同じく打撃出力検出体を示す底面図である。
【図８】打楽器の打撃出力検出体を音源モジュールに接続して再生するときの説明図である。
【図９】スタンドの保持部に打撃出力検出体の雄ネジ棒を挿通し、また打楽器を搭載した状態を示す説明図である。
【図１０】図９における打撃出力検出体を装着機構により取り付けて、検出器を打楽器に当接させた状態を示す説明図である。
【図１１】スタンドの保持部に、別の打楽器を保持させたときの説明図である。
【図１２】スタンドの保持部に、更に別の打楽器を保持させたときの説明図である。
【符号の説明】
【００５８】
１０    打楽器の打撃出力検出装置
１１    スタンド
１２    支柱部
１３    下パイプ
１４    上パイプ
１５    調整ネジ
１６    ストッパー
１７    着座部
２１    保持部
２２    筒体
２６    上アーム
２７    調整部
２８    下アーム
２９    規定部材
３０    打撃出力検出体
３１    支持体（雄ネジ棒）
３２    雄ネジ
３３、３４    締結部材（調整機構）
３５    検出器
３６    弾性体
３７    センサ
３８    付勢部材
３９    ケーシング
４７    音源モジュール
【図１】
0003102585.tif 000003
【図２】
0003102585.tif 000004
【図３】
0003102585.tif 000005
【図４】
0003102585.tif 000006
【図５】
0003102585.tif 000007
【図６】
0003102585.tif 000008
【図７】
0003102585.tif 000009
【図８】
0003102585.tif 000010
【図９】
0003102585.tif 000011
【図１０】
0003102585.tif 000012
【図１１】
0003102585.tif 000013
【図１２】
0003102585.tif 000014